(57)【要約】      （修正有）【課題】液体収納容器に関し、記録装置に装着した液体収納容器を記録装置から引き出し易いインクカートリッジを提供する。【解決手段】底壁と側壁と、上壁からなる概ね箱形のインクカートリッジであって、前記底壁にインク供給口が形成され、記録装置のキャリッジの上方から下方に押し下げて記録装置に装着するインクカートリッジにおいて、前記上壁の中央部に支点を有し回動可能なレバー７と、前記レバー７の支点と反対側の端部近傍に形成された前記記録装置に係合固定するための係合爪１１とからなるラッチレバー６を有し、前記ラッチレバー６は前記レバー７が前記上壁に沿って延在した状態で前記係合爪１１が前記記録装置のキャリッジと係合するように形成されていることを特徴とするインクカートリッジ。【選択図】図３
0003142616.tif 000002
【実用新案登録請求の範囲】
【請求項１】
インク供給口を備えた底壁と側壁と上壁を備え概ね箱形のインクカートリッジであって、記録装置のキャリッジに対して係合固定するための係合爪を備えたラッチレバーを含む係合機構が設けられているインクカートリッジにおいて、
前記上壁に支点を持ち前記側壁側に屈曲し、端部近傍に前記係合爪を備えたラッチレバーを備えた回動可能なレバーを有することを特徴とするインクカートリッジ。
【請求項２】
前記レバーは、前記上壁に沿って延在した状態から、前記支点を中心として上向きに回動可能で、前記インクカートリッジ取り出しレバーであることを特徴とする請求項１に記載のインクカートリッジ。
【考案の詳細な説明】
【技術分野】
【０００１】
本考案は、記録装置からの脱着が容易なインクカートリッジに関する。
【背景技術】
【０００２】
インクカートリッジを記録装置へ装着・脱着する方法には種々のタイプがある。特許文献１の図４〜図８には、インクカートリッジの角部領域をインクジェット記録装置ユニットの背面側に摺動させながら回転してインクカートリッジをインクジェット記録装置ユニットに装着する方法が、また図２には着脱の際に使用する摘み部４ａが、開示されている。特許文献２の図６には、インクカートリッジの記録装置のキャリッジへの挿入方向の先端側にインク供給口を、後端側に記録装置に係脱可能に固定する係止部材を備え、記録装置のキャリッジの上方から下方に押し込みながら記録装置に装着及び脱着するインクカートリッジが開示されている。また図１３及び図１４には複数のインクカートリッジを収容可能に構成されたキャリッジが開示されている。また、特許文献３には、インクカートリッジに、記録装置のキャリッジに係合・固定するための係合機構として、係合爪を備えたラッチレバーを側面に固定設置され、反対側の側面に突起係合部が固定設置されているインクカートリッジが開示されている。
一方、上記インクカートリッジは、キャリッジ内の空間にインクカートリッジを収納するタイプであるが、インク袋を備えたカートリッジであってキャリッジとは異なる装置底部に着脱自在にするために、カートリッジから突出した取手を持つカートリッジは周知である。
【０００３】
【特許文献１】特許登録第２８０１１４８号公報
【特許文献２】特開２００３−１４５７９８号公報
【特許文献３】特許登録第２８０１１４９号公報
【考案の開示】
【考案が解決しようとする課題】
【０００４】
上記特許文献１〜３技術は、インクカートリッジの記録装置への装着に関してはインクカートリッジ上壁を真下あるいは斜め下方に回転させるように押圧し係止部によって固定する構成を主として開示するものであるが、脱着に関しては開示されていない。実用上は、その側面を挟んで取り出すしかない。ところが、近年の記録装置はカラー記録するために、インクカートリッジは、記録装置内の狭い空間に複数隣接させて装着されるために、その側面を挟んで取り出す場合、脱着は容易ではない。例えば特許文献１に記載されているような摘み部４ａは小さくて滑り易いため、記録装置とインクカートリッジの係止部を外した後、記録装置内から外に引き出す際に、インクカートリッジを滑って落とし周辺をインクで汚すことがあった。また特許文献２に記載されたインクカートリッジの係止部材５または６は、キャリッジ周辺の狭い空間で取り扱うため、脱着用摘みとしては小さく扱い難かった。また、周知のように装置底部に装着するというような広い空間を前提とした取り出し機構では、限られた空間内では採用できるものではない。
【０００５】
本考案の目的は、簡単な構成でありながら、部品数を増大させること無く、限られた空間に対して効率がよく、記録装置から引き出し易いインクカートリッジを提供することである。また、本考案の他の目的は、クリック感が小さい従来のカートリッジに対して、装着時のクリック感を十分与えることが出来、同時に取り出す操作においては、確実にユーザーがカートリッジを手に取ることの出来るカートリッジを提供することにある。
【課題を解決するための手段】
【０００６】
本考案者は、上記の目的を達成するため鋭意検討を行い、インクカートリッジの記録装置への装着時には係止部材として機能し、脱着時には手で持ち易い把手となる回動可能なレバーを用いることで従来課題を解決するに至った。即ち本考案の技術的特徴は下記のとおりである。  
（１）インク供給口を備えた底壁と側壁と上壁を備え概ね箱形のインクカートリッジであって、記録装置のキャリッジに対して係合固定するための係合爪を備えたラッチレバーを含む係合機構が設けられているインクカートリッジにおいて、
前記上壁に支点を持ち前記側壁側に屈曲し、端部近傍に前記係合爪を備えたラッチレバーを備えた回動可能なレバーを有することを特徴とするインクカートリッジ。
（２）前記レバーは、前記上壁に沿って延在した状態から、前記支点を中心として上向きに回動可能で、前記インクカートリッジ取り出しレバーであることを特徴とする（１）に記載のインクカートリッジ。
【考案の効果】
【０００７】
本考案によれば、限られた狭い空間であっても、記録装置への装着時には係止部材として機能し、記録装置からの脱着時には手で持ち易い把手となる回動可能なレバーが形成されたインクカートリッジであって記録装置から引き出しやすいインクカートリッジが提供できる。また、本考案のインクカートリッジは、ラッチレバーのクリック感をユーザーに対して装着時十分与えることが出来、同時に取り出す操作においては、確実にユーザーがカートリッジを手に取ることができる。
【考案を実施するための最良の形態】
【０００８】
以下本考案のインクカートリッジの一実施形態について図面を参照しながら説明する。
【０００９】
図１は本考案のインクカートリッジ１の全体斜視図である。図２は本インクカートリッジ１が記録装置１８のキャリッジ１５に装着した状態のインクカートリッジ１の側面図である。図３はラッチレバー６を上方に回動させた状態のインクカートリッジ１の側面図である。図４はインクカートリッジ１を記録装置１８のキャリッジ１５に収納した状態の側面図である。図５は、通常のカラー用記録装置１８のキャリッジ１５に搭載される複数のインクカートリッジの状態を示し、本考案のカートリッジが適用できる装置である。この図からわかるように、従来では、各カートリッジをキャリッジ１５から取り出すための工夫はあまりされていない。
【００１０】
本インクカートリッジ１は、上壁２と底壁３と厚み方向側壁４ａ及び４ｂと長手方向側壁５ａ及び５ｂとからなる概ね箱型の容器であって、上壁には記録装置に装着時に記録装置と係合しかつ脱着時には記録装置から取り外すためのラッチレバー６と大気孔１４を、底壁には記録装置にインクを供給するためのインク供給口１３を備えている。
【００１１】
ラッチレバー６は、本インクカートリッジ１が記録装置に装着された状態において上壁２に平行して延在するレバー７と、前記上壁２の中央部にあって、前記レバー７の一方の端部にある支点１３を支持しレバー７を回動可能にする軸受け１２と、レバー７の他方の端部に形成されレバー７と直角下方に延在する脱着腕８と、脱着腕８の端部から斜め上方に湾曲して伸びる係止腕９と、係止腕９の上端部に形成された脱着摘み１０と、係止腕９の中央部に側壁５ａと反対側に向けて形成され記録装置のキャリッジ１５と係合する係止爪１１と、からなる。
【００１２】
ラッチレバー６は、レバー７が上壁２に平行して延在する状態から、支点１３を軸受け１２に支持されて上方に９０度以上回動できる。図３はラッチレバー６がほぼ９０度上方に回動した状態である。
【００１３】
係止腕９はカートリッジの側壁５ｂ側に向けて押圧力をかければ屈曲する柔軟性を有し、該押圧力を解除すれば側壁５ｂから離れる方向に拡開し元の状態に復帰する弾力性を有する。即ち、本インクカートリッジ１を図３の状態で記録装置１８のキャリッジ１５の上方から下方に押し込んでキャリッジ１５に装着した後、ラッチレバー６をレバー７が上壁と平行な状態になるまで下方に回動させることによって、係止腕９に形成された係止爪１１がキャリッジ１５の側壁１６ａの内側上部に形成された係止爪１７に係合してインクカートリッジ１がキャリッジ１５に固定される。
【００１４】
またインクカートリッジ１の記録装置１８からの脱着時においては、ラッチレバー６を図４の状態から、脱着摘み１０をインクカートリッジ１の側壁５ａ側に押し込み、係止爪１１と係止爪１７の係合を外し、ラッチレバー６を上方に約９０度回動させて図３の状態にした後、脱着腕８に指をかけてあるいは脱着腕周辺を指で摘んで上方に引き上げることによって容易にかつ確実にインクカートリッジ１を記録装置１８から引き出すことが可能となる。
【００１５】
軸受け１２の位置は、上壁２の中央部から離れるほど、脱着腕８に指をかけてあるいは脱着腕周辺を指で摘んで上方に引き上げる際にインクカートリッジ１の長手方向側壁５ａまたは５ｂの最下部と記録装置のキャリッジ１５の側壁１６ａまたは１６ｂとの間に応力がかかり、インクカートリッジ１の引き上げ易さは変化する。この関係から軸受け１２の位置を上壁の中央部に形成することによって、上記のような応力がかからず、記録装置からインクカートリッジ１を容易に引き上げることができる。従って、軸受け１２の位置は、上壁２の中央部に形成されることが好ましい。ここで、上壁２の中央部とは、上壁を長手方向に３等分した中央の部分をいう。本考案において、上記構成の変更は、レバーの形状や折り曲げ角度あるいは、厚み等は、上記本考案の特徴構成の範囲において変更可能であることはいうまでも無い。
【００１６】
上記インクカートリッジ１は、キャリッジ１５のような限られた空間であっても、記録装置１８への装着時には係止部材として機能し、記録装置１８からの脱着時には手で持ち易い把手となる回動可能なレバー７が形成されたインクカートリッジ１である。また、本考案のインクカートリッジは、記録装置への装着時に、ラッチレバーのクリック感をユーザーに対して十分与えることが出来、また同時に脱着時には、ユーザーがカートリッジを確実に手で摘んで外へ引き出すことができる。
【図面の簡単な説明】
【００１７】
【図１】インクカートリッジ１の全体斜視図である。
【図２】記録装置のキャリッジ１５に装着した状態のインクカートリッジ１の側面図である。
【図３】ラッチレバー６を上方に回動させたインクカートリッジ１の側面図である。
【図４】インクカートリッジ１を記録装置１８のキャリッジ１５に収納した状態の側    面図である。
【図５】インクカートリッジが複数装着されている記録装置１８の斜視図である。
【符号の説明】
【００１８】
１  インクカートリッジ
２  上壁
３  底壁
４ａ  厚み方向側壁（図２表側）
４ｂ  厚み方向側壁（図２裏側）
５ａ，５ｂ  長手方向側壁
６  ラッチレバー
７  レバー
８  脱着腕
９  係止腕
１０  脱着摘み
１１  係止爪
１２  軸受け
１３  インク供給口
１４  大気孔
１５  キャリッジ
１６ａ、１６ｂ  記録装置のキャリッジの長手方向側壁
１７  キャリッジ側係止爪
１８  記録装置
【図１】
0003142616.tif 000003
【図２】
0003142616.tif 000004
【図３】
0003142616.tif 000005
【図４】
0003142616.tif 000006
【図５】
0003142616.tif 000007